(57)【要約】      （修正有）【課題】使い捨ておむつの前身頃と後身頃の係合がしやすく、係合後は係合が容易に外れることのない使い捨ておむつを提供することにある。【解決手段】連結手段は、前身頃Ｆの側部の衣服当接面に設けた第１係合部材と、前身頃の側部の肌当接面に設けた第２係合部材４１と、後身頃Ｂの側部の衣服当接面に設けた第３係合部材４２と、後身頃の帯状部６５および第二帯状部６６の衣服当接面に設けた第４係合部材４３と、を有し、後身頃の帯状部を前身頃の衣服当接面へ折り返し、後身頃の第二帯状部を前身頃の衣服当接面へ折り返した状態で、第１係合部材と前記帯状部の第４係合部材が係合するとともに、第１係合部材と第二帯状部の第４係合部材が係合し、第２係合部材と第３係合部材が係合することを特徴とする。【選択図】図１０
2015091353.tif 000002
【特許請求の範囲】
【請求項１】
着用者の前側を覆う前身頃と後側を覆う後身頃を有する外装シートと、
該外装シートの肌当接面に吸収体を含む内装体を備え、
該外装シートの前身頃と後身頃が係合かつ分離可能な連結手段により連結されることにより、ウエスト開口部及び左右一対のレッグ開口部が形成される使い捨ておむつにおいて、
前記後身頃は、
側部が着用者の上半身方向へ延出する帯状部と、
側部が着用者の下半身方向へ延出する第二帯状部と、を有し、
前記連結手段は、
前記前身頃の側部の衣服当接面に設けた第１係合部材と、
前記前身頃の側部の肌当接面に設けた第２係合部材と、
前記後身頃の側部の衣服当接面に設けた第３係合部材と、
前記後身頃の帯状部および第二帯状部の衣服当接面に設けた第４係合部材と、を有し、
前記後身頃の帯状部を前記前身頃の衣服当接面へ折り返し、前記後身頃の第二帯状部を前記前身頃の衣服当接面へ折り返した状態で、
前記第１係合部材と前記帯状部の第４係合部材が係合するとともに、前記第１係合部材と前記第二帯状部の第４係合部材が係合し、前記第２係合部材と前記第３係合部材が係合することを特徴とする使い捨ておむつ。
【請求項２】
前記帯状部および前記第二帯状部の折り返しにおいて、折り返し地点を跨ぐように前記係合部材を設けない請求項１記載の使い捨ておむつ。
【請求項３】
前記帯状部および前記第二帯状部の折り返しにおいて、折り返し地点を前記帯状部および前記第二帯状部の基部とした請求項１または２記載の使い捨ておむつ。
【発明の詳細な説明】
【技術分野】
【０００１】
本発明は、前身頃と後身頃が係合かつ分離可能なパンツ型使い捨ておむつに関し、特に、前身頃と後身頃を係合しやすく、係合した後は当該係合が容易に外れることのないパンツ型使い捨ておむつに関する。
【背景技術】
【０００２】
特許文献１には、後身体パネルの前身体パネル側にフック部材を取付け、フック部材を前身体パネルの両側部内面に沿って係合し連結される使い捨ておむつが記載されている。
特許文献２には、前端部および後端部の両側部に固定手段を設け、一方の対角線に位置する固定手段にループ部材を設け、他方の対角線に位置する固定手段にフック部材を設けた使い捨ておむつが記載されている。
特許文献３には、後胴周り域の両側部内面にループ部材を取付け、前胴周り域の両側部内面にＺ字形に畳まれた支持部材を設け、支持部材の先端部内面にフック部材を取付け、ループ部材とフック部材とを係合し連結される使い捨ておむつが記載されている。
特許文献１〜３に記載された使い捨ておむつは、着用者がズボンを脱ぐことなく装着、交換を行えることから着用者、又は介護者の負担を軽減するものである。
【先行技術文献】
【特許文献】
【０００３】
【特許文献１】特表２００５−５３３５２９号公報
【特許文献２】特開２００７−５０４８８４号公報
【特許文献３】特開２００８−１２１１５号公報
【発明の概要】
【発明が解決しようとする課題】
【０００４】
しかし、前記パンツ型使い捨ておむつ（以下、「使い捨ておむつ」という。）の前身頃と後身頃を係合する作業を着用者の大腿部近傍で行い、前記使い捨ておむつの左右一対のレッグ開口部に着用者の左右の足が挿入された状態になった後、当該係合した使い捨ておむつを股間部に引き上げる過程において、使い捨ておむつの肌接面側から衣服接面側へ向かって膨張する力が生じ、当該係合部が外れることがあった。
【０００５】
また、着用者の歩行、着座等にともなう太股からの力により後胴周り域と前胴周り域との係合が剥がれ連結手段が不用意に分離されるおそれがあり、特に、太股から前胴周り域に内面から外面方向に垂直力が作用した場合、後胴周り域と前胴周り域との係合が容易に剥がれ連結手段が分離されるおそれが高い。
【０００６】
さらに、前記着用者の大腿部近傍で行う前身頃と後身頃の係合作業の際、使い捨ておむつの前身頃と後身頃の片側を係合して着用者の片足を包んだ後、使い捨ておむつの前身頃と後身頃の他方を係合して他方の足を包もうとすると、前身頃と後身頃の胴回り方向に沿って配置している伸縮部材によって、胴回り方向に伸縮応力がかかるため、係合しにくい。
【０００７】
そこで、本発明の課題は、使い捨ておむつの前身頃と後身頃の係合がしやすく、係合後は係合が容易に外れることのない使い捨ておむつを提供することにある。
【課題を解決するための手段】
【０００８】
上記課題を解決するための請求項１に係る本発明として、
着用者の前側を覆う前身頃と後側を覆う後身頃を有する外装シートと、
該外装シートの肌当接面に吸収体を含む内装体を備え、
該外装シートの前身頃と後身頃が係合かつ分離可能な連結手段により連結されることにより、ウエスト開口部及び左右一対のレッグ開口部が形成される使い捨ておむつにおいて、
前記後身頃は、
側部が着用者の上半身方向へ延出する帯状部と、
側部が着用者の下半身方向へ延出する第二帯状部と、を有し、
前記連結手段は、
前記前身頃の側部の衣服当接面に設けた第１係合部材と、
前記前身頃の側部の肌当接面に設けた第２係合部材と、
前記後身頃の側部の衣服当接面に設けた第３係合部材と、
前記後身頃の帯状部および第二帯状部の衣服当接面に設けた第４係合部材と、を有し、
前記後身頃の帯状部を前記前身頃の衣服当接面へ折り返し、前記後身頃の第二帯状部を前記前身頃の衣服当接面へ折り返した状態で、
前記第１係合部材と前記帯状部の第４係合部材が係合するとともに、前記第１係合部材と前記第二帯状部の第４係合部材が係合し、前記第２係合部材と前記第３係合部材が係合することを特徴とする使い捨ておむつが提供される。
【０００９】
（作用効果）
前記請求項１記載の発明によれば、前記前身頃と後身頃を前記第２係合部材と第３係合部材で係合するだけでなく、前記第１係合部材と第４係合部材でも係合するため、係合がより強固となり、係合した後は係合が容易に外れないという効果がある。
特に、前身頃と後身頃の係合部分のうち、上半身側の端部の係合が最も外れやすいが、当該端部を後身頃から延出した帯状部で覆うため、係合が外れにくくなるという効果がある。
また、前身頃と後身頃の係合部分のうち、下半身側の端部の係合も外れやすいが、当該端部を後身頃から延出した第二帯状部で覆うため、係合が外れにくくなるという効果がある。
さらに、前記のとおり、着用者の大腿部近傍で行う前身頃と後身頃の係合作業の際、前身頃と後身頃の伸縮応力の影響で、使い捨ておむつの前身頃と後身頃が係合しにくいという問題がある。前記請求項１記載の発明によれば、当該係合作業の際に、前記後身頃から延出した帯状部を着用者が手に持ち、着用者の上半身前側へ向けて引っ張ることにより、後身頃に設けた第３係合部材を着用者の前側へ移動させることができるため、係合がしやすくなるという効果がある。
【００１０】
上記課題を解決するための請求項２に係る本発明として、
前記帯状部および前記第二帯状部の折り返しにおいて、折り返し地点を跨ぐように前記係合部材を設けない請求項１記載の使い捨ておむつが提供される。
【００１１】
（作用効果）
前記請求項２記載の発明によれば、前記帯状部および第二帯状部の折り返し地点を跨ぐように前記係合部材を設けていないため、前記帯状部および第二帯状部の折り返しが容易になるという効果がある。
【００１２】
上記課題を解決するための請求項３に係る本発明として、
前記帯状部および前記第二帯状部の折り返しにおいて、折り返し地点を前記帯状部および前記第二帯状部の基部とした請求項１または２記載の使い捨ておむつが提供される。
【００１３】
（作用効果）
前記帯状部の折り返しにおいて、折り返し地点を前記帯状部の基部以外に設けた場合、折り返した状態で、帯状部の一部が使い捨ておむつの係合部の上半身側の端部から突出した状態になる。また、前記第二帯状部の折り返しにおいても、折り返し地点を前記第二帯状部の基部以外に設けた場合、折り返した状態で、帯状部の一部が使い捨ておむつの係合部の下半身側の端部から突出した状態になる。当該帯状部の突出は、使い捨ておむつの着用者の脇腹部や大腿部に当たるため、着用者が不快感を覚える。
また、前身頃と後身頃の係合部分のうち、外れやすい上半身側の端部および下半身側の端部の係合部分を前記帯状部および第二帯状部で密閉できないため、係合が外れやすくなる。
前記請求項３記載の発明によれば、前記帯状部の突出を防ぐことができ、着用者の不快感を防止するという効果がある。また、前身頃と後身頃の係合部を外れにくくすることができるという効果がある。
【発明の効果】
【００１４】
以上のとおり、本発明によれば、使い捨ておむつの前身頃と後身頃の係合がしやすく、係合後は係合が容易に外れることのない使い捨ておむつを提供できる。
【図面の簡単な説明】
【００１５】
【図１】展開状態の使い捨ておむつの内面平面図である。
【図２】展開状態の使い捨ておむつの外面平面図である。
【図３】図１のＰ−Ｐ断面図である。
【図４】図１のＱ−Ｑ断面図である。
【図５】図１のＲ−Ｒ断面図である。
【図６】図１のＳ−Ｓ断面図である。
【図７】本発明にかかる使い捨ておむつの着用手順を説明した図である。
【図８】本発明にかかる使い捨ておむつの着用手順を説明した図である。
【図９】本発明にかかる使い捨ておむつを着用した図である。
【図１０】第２実施形態の展開状態の使い捨ておむつの内面平面図である。
【図１１】第２実施形態の展開状態の使い捨ておむつの外面平面図である。
【図１２】第３実施形態の展開状態の使い捨ておむつの内面平面図である。
【図１３】第３実施形態の展開状態の使い捨ておむつの外面平面図である。
【図１４】図９のＴ−Ｔの位置の断面図であり、具体的には、第１実施形態の帯状部を折りたたんだ後の図である。
【図１５】図９のＴ−Ｔの位置に該当する位置の断面図であり、具体的には第２実施形態の帯状部および第二帯状部を折りたたむ過程の図である。
【図１６】図９のＴ−Ｔの位置の断面図であり、具体的には第２実施形態の帯状部および第二帯状部を折りたたんだ後の図である。
【図１７】図９のＴ−Ｔの位置の断面図であり、具体的には第３実施形態の帯状部を折りたたむ過程の図である。
【図１８】図９のＴ−Ｔの位置の断面図であり、具体的には第３実施形態の帯状部を折りたたむ過程の図である。
【図１９】図９のＴ−Ｔの位置の断面図であり、具体的には第３実施形態の帯状部を折りたたんだ後の図である。
【発明を実施するための形態】
【００１６】
本発明の実施形態について、添付図面を参照しつつ説明する。なお、実施形態は、使い捨ておむつとして大人用使い捨ておむつを例示してあるが大人用使い捨ておむつに限定されるものではなく、幼児用使い捨ておむつにも適用できるものである。
【００１７】
（第１実施形態）
図１〜図９に示すように、本発明の第１実施形態の使い捨ておむつ１は、前身頃Ｆ及び後身頃Ｂを有する外装シート２０と、この外装シート２０の内面に固定され一体化された内装体１０とを有しており、内装体１０は液透過性表面シート１１と液不透過性裏面側シート１２との間に吸収体１３が介在されてなるものである。製造に際しては、外装シート２０の内面（上面）に対して内装体１０の裏面がホットメルト接着剤Ｇなどの接合手段によって固定された後に、内装体１０および外装シート２０が前身頃Ｆ及び後身頃Ｂの境界である上下方向中央で折り畳まれ、その両側部が相互に係合かつ分離可能な連結手段によって連結されることによって、ウエスト開口部及び左右一対のレッグ開口部が形成された使い捨ておむつ１となる。
【００１８】
図１および図２に示すように、使い捨ておむつ１には、前身頃Ｆの衣服当接面の両側部に、当該側部の縁と略平行に上下方向へ延びるループ部材からなる第１係合部材４０が取付けられ、前身頃Ｆの肌当接面の両側部に、当該側部の縁と略平行に上下方向へ延びるループ部材からなる第２係合部材４１が取付けられている。
【００１９】
また、後身頃Ｂの衣服当接面の両側部には、当該側部の縁と略平行に上下方向へ延びるフック部材からなる第３係合部材４２が取付けられる。さらに、前記後身頃Ｂは、両側部が着用者の上半身方向へ延出した帯状部６５を有し、当該帯状部の衣服当接面に、当該帯状部６５の両側部の縁と略平行に上下方向へ延びる第４係合部材４３が取付けられている。
なお、第１実施形態とは異なり、第１，２係合部材４０，４１にフック部材を、第３，４係合部材４２，４３にループ部材を取付けてもよい。
上記の例では、第１係合部材４０、第２係合部材４１、第３係合部材４２、第４係合部材４３を、前身頃Ｆおよび後身頃Ｂの側部の縁や、帯状部６５の縁と略平行に設けているが、これに限られるものではなく、当該縁と所定の角度をもって斜めに配置するなどしてもよい。
さらに、上記の例では、第１係合部材４０、第２係合部材４１、第３係合部材４２、第４係合部材４３をそれぞれ１つずつ設けているが、これに限られるものではなく、第１係合部材４０、第２係合部材４１、第３係合部材４２、第４係合部材４３をそれぞれ複数個設けても良い。例えば、図２では、帯状部６５の衣服当接面に、上下方向の長さが長い長方形の第４係合部材４３を１つだけ設けられているが、当該第４係合部材４３の上下方向の長さをもう少し短くした形状の第４係合部材４３を上下方向に複数個並べて設けても良い。
また、図１および図２では、帯状部６５の上下方向の長さが、連結側部２２の上下方向の長さと同じである例を示したが、本発明はこれに限られない。具体的には、帯状部６５の上下方向の長さを連結側部２２の上下方向の長さよりも短くしてもよい。
【００２０】
（外装シート）
図３〜図６に示すように、外装シート２０は、上層不織布２０Ａと下層不織布２０Ｂからなる２層構造の不織布シートとされている。上層不織布２０Ａと下層不織布２０Ｂとの間及び下層不織布２０Ｂをウエスト開口縁で内面側に折り返してなる折り返し部分２０Ｃの不織布の間には各種弾性部材がそれぞれ配置され伸縮性が付与されている。平面形状は、中間両側部に夫々脚部開口を形成するために形成された凹状の脚回りライン２９により、全体として擬似砂時計形状をなしている。
【００２１】
図１、図２に示すように、外装シート２０の弾性部は、ウエスト開口部近傍２３に配置されたウエスト部弾性部材２４，２４…と、前身頃Ｆ及び後身頃Ｂに、縦方向に間隔をおいて幅方向に沿って配置された複数の腰回り弾性部材２５，２５…とを有するとともに、前身頃Ｆ及び後身頃Ｂのそれぞれにおいて、腰回り弾性部材群２５，２５…とは別に、前身頃Ｆと後身頃Ｂとを連結する連結側部２１、２２から幅方向中央に向かうにつれて反対の身頃側へ向かうように湾曲しつつ、内装体１０の両側部と重なる部位まで（又は両側部の近傍まで等、必ずしも重ならなくても良い）延在するとともに、互いに交差することなく間隔をおいて配置された複数本の湾曲弾性部材２６…、２８…を備えている。なお、本外装シート２０では、脚回りライン２９に沿って実質的に連続する、所謂脚回り弾性部材は設けられていない。
【００２２】
ウエスト部弾性部材２４，２４…は、前身頃Ｆと後身頃Ｂとが連結された連結側部２１、２２の範囲の内、ウエスト開口縁近傍に上下方向に間隔をおいて配設された複数条の糸ゴム状弾性部材であり、身体のウエスト部回りを締め付けるように伸縮力を与えることにより使い捨ておむつを身体に装着するためのものである。このウエスト部弾性部材２４は、図示例では糸ゴムを用いたが、例えばテープ状の伸縮部材を用いてもよい。また、図示形態のウエスト部弾性部材２４，２４…は、ウエスト部における下層不織布２０Ｂの折り返し部分２０Ｃの不織布間に挟持されているが、上層不織布２０Ａと下層不織布２０Ｂとの間に挟持しても良い。
【００２３】
腰回り弾性部材２５，２５…は、連結側部２１、２２の内、概ね上部から下部までの範囲に亘り、上下方向に間隔をおいて幅方向に沿って配設された糸ゴム状の弾性部材であり、前身頃Ｆ及び後身頃Ｂの腰回り部分に夫々幅方向の伸縮力を与え、使い捨ておむつを身体に密着させるためのものである。なお、ウエスト部弾性部材２４、２４…と腰回り弾性部材２５、２５…との境界は必ずしも明確でなくてよい。例えば、前身頃Ｆ及び後身頃Ｂに上下方向に間隔をおいて幅方向に配置された弾性部材の内、数は特定できなくても、上部側の何本かがウエスト部弾性部材として機能し、残りの弾性部材が腰回り弾性部材として機能していればよい。
【００２４】
後身頃Ｂにおいて、腰回り弾性部材２５，２５…とは別に配設された背側湾曲弾性部材２６、２６…は、その長手方向中間に縦方向との鋭角側交差角θ（以下、縦方向交差角ともいう）が最小となる最小点を有するとともに、この最小点から幅方向両側に向かうにつれて縦方向交差角θが０度〜９０度の範囲内で増加する所定の曲線であって、且つ使い捨ておむつを展開した状態で内装体の両側部と重なる領域内に縦方向交差角θが６０・以下となる交差部分７１を有する所定の曲線に沿って配置されているものである。背側湾曲弾性部材２６は、一本であっても良いが複数本であるのが好ましく、図示例では５本の糸ゴム状弾性部材であり、これら背側湾曲弾性部材２６、２６…は互いに交差することなく、間隔をおいて配置されている。この背側湾曲弾性部材群２６、２６…は、２，３本程度の弾性伸縮部材を間隔を密にして実質的に一束として配置されるのではなく、所定の伸縮ゾーンを形成するように３〜２０ｍｍ、好ましくは６〜１６ｍｍ程度の間隔を空けて、３本以上、好ましくは５本以上配置される。
【００２５】
外装シート２０の前身頃Ｆにおいて、腰回り弾性部材群２５，２５…とは別に配設された腹側湾曲弾性部材２８，２８…も、その長手方向中間に縦方向との縦方向交差角θが最小となる最小点を有するとともに、この最小点から幅方向両側に向かうにつれて縦方向交差角θが０度〜９０度の範囲内で増加する所定の曲線であって、且つ使い捨ておむつを展開した状態で内装体の両側部と重なる領域内に縦方向交差角θが６０・以下となる交差部分７０を有する所定の曲線に沿って配置されている。腹側湾曲弾性部材２８は、一本であっても良いが複数本であるのが好ましく、図示例では５本の糸状弾性部材であり、これら腹側湾曲弾性部材２８，２８…は、互いに交差することなく、間隔をおいて配置されている。この腹側湾曲弾性部材群２８、２８…も、２，３本程度の弾性伸縮部材を間隔を密にして実質的に一束として配置されるのではなく、所定の伸縮ゾーンを形成するように３〜２０ｍｍ、好ましくは６〜１６ｍｍ程度の間隔を空けて、３本以上、好ましくは５本以上配置される。
【００２６】
なお、図示例では、前身頃Ｆ及び後身頃Ｂに配置された腰回り弾性部材２５，２５…及び湾曲弾性部材２６…、２８…は、内装体１０を横切る部分には設けられておらず、当該部分が非伸縮領域とされている。このように、弾性部材を有しない又は設けられていない形態には、弾性部材が存在しない形態の他、弾性部材は存在するが収縮力が作用しない程度に細かく切断させている形態も含まれる。例えば、後者の例としては、腰回り弾性部材２５，２５…及び湾曲弾性部材２６…、２８…を、一方側の連結側部２１，２２から内装体１０を横切って他方（反対）側の連結側部２２まで連続的に設けた後に、内装体１０を横切る部分の一部又は全部を切断し、不連続とする一般的な形態が含まれる。弾性部材を内装体１０と重なる部分で不連続とすることにより、内装体（特に吸収体１３）の幅方向の縮こまりをより防止することができる。もちろん、腰回り弾性部材２５，２５…及び湾曲弾性部材２６…、２８…を、内装体１０を横切って連続的に配置することもできる。
【００２７】
上述した外装シート２０は、例えば特開平４−２８３６３号公報や、特開平１１−３３２９１３号公報記載の技術により製造することができる。また、湾曲弾性部材２６…、２８…を内装体１０上で切断し不連続化するには、特開２００２−３５０２９号公報、特開２００２−１７８４２８号公報及び特開２００２−２７３８０８号公報に記載される切断方法が好適に採用される。
【００２８】
図示例とは異なり、湾曲弾性部材２６…、２８…を、前身頃Ｆ及び後身頃Ｂのいずれか一方にのみ設けるだけでも良い。また、湾曲弾性部材２６…、２８…を、前身頃Ｆ及び後身頃Ｂの両方に設ける場合、前身頃Ｆ側に配置された湾曲弾性部材２８…の群の一部又は全部と、後身頃Ｂ側に配置された湾曲弾性部材２６…の群の一部又は全部とが交差する形態（図示せず）も採用できるが、図示例のように、前身頃Ｆ側に配置された湾曲弾性部材２８…の群と、後身頃Ｂ側に配置された湾曲弾性部材２６…の群とは互いに交差することなく前後方向中間部、特に前身頃Ｆに若干偏った位置で縦方向に離間している形態が好適であり、その縦方向離間範囲９０における最小縦方向離間距離は１０〜１５ｍｍ程度とし、この部分に後述する広幅の固定領域を設けるのが好ましい。
【００２９】
さらに、湾曲弾性部材２６…、２８…は図示例のようにその全体が湾曲していなくても良く、部分的に直線状の部分を有していても良い。
【００３０】
（連結手段）
図１、図２に示すように、外装シート２０の前身頃Ｆの両側部の連結側部２１には、前身頃Ｆの衣服当接面の両側部に、当該側部の縁と略平行に上下方向へ延びるループ部材からなる第１係合部材４０が取付けられ、前身頃Ｆの肌当接面の両側部に、当該側部の縁と略平行に上下方向へ延びるループ部材からなる第２係合部材４１が取付けられている。
【００３１】
第１係合部材４０、第２係合部材４１には、ループ部材、フック部材のどちらも用いることができるが、第２係合部材４１は、着用者の肌側に接触する前身頃Ｆの肌当接面に取付けられることから、着用者の肌に外傷を与えることを防止する観点から、第２係合部材４１には、ループ部材を用いるのが好適である。
また、外装シート２０の上層不織布２０Ａと第２係合部材４１、外装シート２０の下層不織布２０Ｂと第１係合部材４０との剥がれを防止するため、第１係合部材４０、第２係合部材４１が取付けられる外装シート２０の連結側部２１には、ウエスト部弾性部材２４，２４…、腰回り弾性部材２５、２５…、腹側湾曲弾性部材２８，２８…を配設しないのが好適である。
なお、第１係合部材４０、第２係合部材４１は、公知の接着剤、サーマルまたはウルトラソニックボンドにより外装シート２０の上層不織布２０Ａ、下層不織布２０Ｂにそれぞれ固着されている。
【００３２】
また、図１、図２に示すように、後身頃Ｂの両側部の連結側部２２には、外装シート２０の衣服当接面に、当該側部の縁と略平行に上下方向へ延びるフック部材からなる第３係合部材４２が取付けられる。
さらに、前記後身頃Ｂの側部は、着用者の上半身方向へ延出する帯状部６５を有し、当該帯状部６５の衣服当接面には第４係合部材４３が取付けられる。当該第４係合部材４３は、当該帯状部６５の縁と略平行に上下方向に延びるフック部材からなる。
【００３３】
なお、第３係合部材４２および第４係合部材４３には、ループ部材、フック部材のどちらも用いることもできるが、前記のとおり、第２係合部材４１にループ部材を用いるのが好適であるため、それと係合する第３係合部材４２には、フック部材を用いるのが好適である。
さらに、外装シート２０の上層不織布２０Ａと第３係合部材４２、帯状部６５と第４係合部材４３との剥がれを防止するため、第３係合部材４２が取り付けられる外装シート２０の連結側部２２、帯状部６５には、ウエスト部弾性部材２４，２４…、腰回り弾性部材２５、２５…、腹側湾曲弾性部材２８，２８…を配設しないのが好適である。
また、第３係合部材４２、第４係合部材４３は、公知の接着剤、サーマルまたはウルトラソニックボンドにより支持部材４５の内外面に固着されている。
【００３４】
なお、後身頃Ｂの側部のうち第３係合部材４２と固着する箇所では、上層不織布２０Ａと下層不織布２０Ｂの間にウエスト部弾性部材２４や腰回り弾性部材２５を設けないほうがより好適である。ウエスト部弾性部材２４や腰回り弾性部材２５を設けると、その弾性作用により不織布と第三係合部材４２に撓みが生じ、固着が上手くいかなくなるからである。固着しない箇所については、ウエスト部弾性部材２４や腰回り弾性部材２５を設けるほうがより好適である。当該弾性作用により、使い捨ておむつ１のフィット性が向上するためである。
帯状部６５は、好適には４０〜１００ｇ／ｍ2の不織布が用いられる。
また、帯状部６５は、上層不織布２０Ａと下層不織布２０Ｂからなるように構成しても良い。この場合、帯状部６５と第４係合部材４３を固着する箇所では、上層不織布２０Ａと下層不織布２０Ｂの間にウエスト部弾性部材２４や腰回り弾性部材２５を設けないほうがより好適である。ウエスト部弾性部材２４や腰回り弾性部材２５を設けると、その弾性作用により不織布と第三係合部材４２に撓みが生じ、固着が上手くいかなくなるからである。固着しない箇所については、ウエスト部弾性部材２４や腰回り弾性部材２５を設けるほうがより好適である。当該弾性作用により、使い捨ておむつ１のフィット性が向上するためである。
その他の帯状部６５の例としては、幅方向に伸縮する伸縮性不織布が用いられる。当該伸縮性不織布は、不織布の間に弾性部材を配置したものや、伸縮フィルムを配置したものがある。当該弾性作用により、使い捨ておむつ１のフィット性が向上するという効果を得ることができる。この場合においても、帯状部６５と第４係合部材４３を固着する箇所は、伸縮性を有さない別部材とするほうが好ましい。
【００３５】
図１および図２に示すように、帯状部６５の基部にある折り返し部６４を折り返した場合、第３係合部材４２と第４係合部材４３とは相互に重ならない位置に取付けられている。
【００３６】
第３係合部材４２と第４係合部材４３とが相互に重ならない位置に取付けられていることから、外装シート２０の前身頃Ｆと後身頃Ｂを連結させた場合、前身頃Ｆの両側部の胴回り方向の内側位置にあっては、衣服当接面側から肌当接面側に向かい第１係合部材４０、第２係合部材４１、第３係合部材４２が重なり合い、前身頃Ｆの両側部の胴回り方向外側位置にあっては、衣服当接面側から肌当接面側に向かい第４係合部材４３、第１係合部材４０、第２係合部材４１が重なり合い、外装シート２０の前後身頃Ｆ、Ｂの連結部２１，２２は過度に硬くならず、幅方向に自由に湾曲可能な柔軟性を有する。そのため、着用者が使い捨ておむつ１を股間部に引上げる際に、着用者の太股に連結部２１，２２が擦れた場合であっても着用者の肌に外傷が加わることはない。
【００３７】
使い捨ておむつ１のサイズにより異なるが、通常の大人用の使い捨ておむつ１の場合、所要の係合強度を有するため、第１係合部材４０は、幅２５〜６０ｍｍ、縦１７０〜３３０ｍｍの矩形状であり、第２係合部材４１は、幅２５〜４０ｍｍ、縦１７０〜３３０ｍｍの矩形状であり、第３係合部材４２は、幅１０〜２０ｍｍ、縦１５０〜３１０ｍｍの矩形状であり、第４係合部材４３は、幅１０〜２０ｍｍ、縦１５０〜３１０ｍｍの矩形状である。特に、レック開口部がフィットしないとモレに繋がるため第１係合部材４０の幅を広げ、第４係合部材の位置を調整できるように、第１係合部材４０の幅、縦寸法を大きくすることが好ましい。
【００３８】
係合強度とは、使い捨ておむつ１の片側の第１係合部材４０と第４係合部材４３及び第２係合部材４１と第３係合部材４２とを係合した状態において、係合されていない使い捨ておむつ１の片側を胴回り方向に引張り、使い捨ておむつ１の他片側の第１係合部材４０と第４係合部材４３及び第２係合部材４１と第３係合部材４２とを係合する際に、使い捨ておむつ１の片側の第１係合部材４０と第４係合部材４３及び第２係合部材４１と第３係合部材４２との係合面に作用するせん断力に対する強さをいうものとする。
【００３９】
使い捨ておむつ１のサイズにより異なるが、通常の大人用の使い捨ておむつ１の場合、第１係合部材４０と第４係合部材４３とのせん断応力は５Ｎ／ｃｍ2以上であり、係合強度は６０Ｎ以上であるのが好適である。
係合強度が６０Ｎ以下の場合には、着用者の歩行、着座等にともなう太股からの力により第１係合部材４０と第４係合部４材３との係合が外れる恐れがあるからである。
【００４０】
同様に、第２係合部材４１と第３係合部材４２とのせん断応力は３．５Ｎ／ｃｍ2以上であり、係合強度は４８Ｎ以上であるのが好適である。
係合強度が４８以下の場合には、着用者の歩行、着座等にともなうウエスト部からの力により第２係合部材４１と第３係合部材４２との係合が外れる恐れがあるからである。
【００４１】
使い捨ておむつ１では、第１係合部材４０、第２係合部材４１には同一のループ部材を用い、第３係合部材４２、第４係合部材４３には同一のフック部材を用いているが、それぞれ異なるループ部材、フック部材を用いることもできる。
【００４２】
使い捨ておむつ１では、第１係合部材４０、第２係合部材４１には、ループ部材を用いているが、係合強度が十分確保できる場合にあっては、第１係合部材４０、第２係合部材４１にループ部材を取付けることなく、直接、第３係合部材４２を外装シート２０の上層不織布２０Ａに、第４係合部材４３を外装シート２０の下層不織布２０Ｂに係合させることもできる。
【００４３】
着用者が使い捨ておむつ１を装着する場合、図７のように、まず第２係合部材４１と第３係合部材４２を係合させる。そして、図８のように、帯状部６５の基部にある折り返し部６４を前身頃Ｆの衣服当接面へ向けて折り返し、第１係合部材４０と第４係合部材４３を係合させる。
外装シート２０の前身頃Ｆと後身頃Ｂとが連結した状態で、使い捨ておむつ１を股間部に引上げた後、第１係合部材４０と第４係合部材４３との係合位置を調整し足回りにフィットさせる。
図９は、使い捨ておむつ１の装着後の図面である。図９のＴ−Ｔの位置は、図１４から図１９の断面図の切断部分の位置を表している。図９は、第１実施形態の使い捨ておむつ１を装着した場合であるが、図１５および図１６の説明の際は、第２実施形態の使い捨ておむつ１を装着した場合であると仮定し、図１７から図１９の説明の際は、第３実施形態の使い捨ておむつ１を装着した場合であると仮定して、Ｔ−Ｔの位置を捉えるものとする。
図１４は、図９のＴ−Ｔの位置の断面図である。装着後は、外れやすい前身頃Ｆの上半身側端部の係合部分を帯状部６５で覆うような形となる。
【００４４】
上記例においては、前身頃Ｆの両側部に設けた第２係合部材４１と後身頃Ｂの両側部に設けた第３係合部材４２の両側の係合を行った後、前身頃Ｆの両側部に設けた第１係合部材４０と後身頃Ｂの両側部に設けた第４係合部材４３の両側の係合を行う場合を述べた。
本発明は、これに限定されることはなく、まず、前身頃Ｆの両側部に設けた第２係合部材４１と後身頃Ｂの両側部に設けた第３係合部材４２の片側の係合を行った後、前身頃Ｆの両側部に設けた第１係合部材４０と後身頃Ｂの両側部に設けた第４係合部材４３の前記片側の係合を行う。その後、前身頃Ｆの両側部に設けた第２係合部材４１と後身頃Ｂの両側部に設けた第３係合部材４２の他方の側の係合を行った後、前身頃Ｆの両側部に設けた第１係合部材４０と後身頃Ｂの両側部に設けた第４係合部材４３の他方の側の係合を行うようにしてもよい。
【００４５】
使い捨ておむつ１は、着用者の前側で第１係合部材４０と第４係合部材４３との係合位置を調整でき、第４係合部材４３が第１係合部材４０の外面から係合しているため、着用者や介護者が容易にフィット性を調整でき、着用者の歩行、着座等にともなう太股からの力が、使い捨ておむつ１の内側から外側に向かって作用した場合にあっても、第１係合部材４０と第４係合部材４３との係合による連結を維持することができる。
また、外形シート２０の前身頃Ｆまたは後身頃Ｂの側縁に着用者の手が触れたり、着衣がこすれた場合にあっても、第１係合部材４０と第４係合部材４３又は第２係合部材４１と第３係合部材４２のいずれか一方の連結は確実に維持することができる。
【００４６】
また、図１４に示すように、前身頃Ｆと後身頃Ｂの係合部分のうち、外れやすい上半身側の端部の係合部分を前記帯状部６５で覆うことができるため、係合が外れにくくなるという効果がある。
【００４７】
また、前記帯状部６５の折り返しにおいて、折り返し部６４を前記帯状部６５の基部以外の場所に設けると、折り返した状態で、帯状部６５の一部が使い捨ておむつ１の前身頃Ｆの上半身側端部から突出した状態になる。当該帯状部６５の突出は、使い捨ておむつ１の着用者の脇腹部に当たるため、着用者が不快感を覚える。また、前身頃Ｆと後身頃Ｂの係合部分のうち、外れやすい上半身側の端部の係合部分を前記帯状部６５で密閉できないため、係合が外れやすくなる。
前記本発明によれば、前記帯状部６５の突出を防ぐことができ、着用者の不快感を防止するという効果がある。また、前身頃Ｆと後身頃Ｂの係合部を外れにくくすることができるという効果がある。
【００４８】
（外装シート２０の柔軟化に関する構成）
特徴的には、腰回り弾性部材２５…を有する縦方向範囲３３と湾曲弾性部材２６…、２８…を有する縦方向範囲３１とが一部（又は全部でも良い）重複しており、且つこの重複範囲３０内に腰回り弾性部材２５…が複数本（例えば５〜１０本程度）含まれるとともに、そのうちの少なくとも一部の腰回り弾性部材２５…の相互間隔ｄ１が他の腰回り弾性部材２５…の相互間隔ｄ２よりも広くなっている。また、重複範囲３０外においても、湾曲弾性部材２６…、２８…を有する縦方向範囲３１とウエスト部弾性部材２４を有する縦方向範囲との間の中間範囲３２に、腰回り弾性部材２５…が複数本（例えば１０〜１６本程度）設けられている。
【００４９】
このように、腰回り弾性部材２５…を有する縦方向範囲３３と湾曲弾性部材２６…、２８…を有する縦方向範囲３１との重複範囲３０をある程度許容しつつ、その範囲内に腰回り弾性部材２５…の相互間隔の広い部分を設けることによって、フィット性を損ねずに、弾性部材の密集を抑制することができる。その結果、上記重複範囲３０において外装シート２０にプリーツが密集せず、厚みの不必要な増加、弾性部材自体及びその接着による硬質化が抑制され、もって柔軟で快適な装着感が得られるようになる。
【００５０】
通常の場合、上述の腰回り弾性部材２５…の相互間隔ｄ１は１５〜５０ｍｍ程度、他の腰回り弾性部材２５…の相互間隔ｄ２は１０〜２０ｍｍ程度とするのが好ましい。また、重複範囲３０の縦方向長さは展開状態での使い捨ておむつ１の全長の１５〜３０％程度であるのが好ましく、重複範囲３０に占める腰回り弾性部材２５…の相互間隔ｄ１の広い間隔部分３５の割合は縦方向長さの比（すなわち、間隔ｄ１の総和／重複範囲３０の縦方向長さ）で６０〜１００％程度であるのが好ましい。上記重複範囲３０が狭すぎると、腰回り弾性部材２５…の間隔を広げる意義が薄くなり、広過ぎると腰回り弾性部材２５…の間隔の広い部分３５が増加することによりフィット性が低下する。また、上記重複範囲３０内に占める腰回り弾性部材２５…の相互間隔ｄ１の広い部分３５の割合が少な過ぎると柔軟性の向上は見込めるものの顕著な向上は困難となる。
【００５１】
具体的に、図示例の場合、重複範囲３０に占める腰回り弾性部材２５…の相互間隔ｄ１の広い部分３５の割合は、前身頃Ｆでは４０％程度、後身頃Ｂでは１００％となっている。このように、柔軟性向上に関する構成は、前身頃Ｆと後身頃Ｂとで異ならしめることができ、外装シート２０における前身頃Ｆ及び後身頃Ｂのいずれか一方にのみ適用することも可能である（以下同じ）。
【００５２】
（内装体の構造例）
内装体１０は、不織布などからなる液透過性表面シート１１と、ポリエチレン等からなる液不透過性裏面側シート１２との間に、吸収体１３を介在させた構造を有しており、表面シート１１を透過した排泄液を吸収保持するものである。
【００５３】
吸収体１３の表面側（肌当接面側）を覆う液透過性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。液透過性表面シート１１に多数の透孔を形成した場合には、尿などが速やかに吸収されるようになり、ドライタッチ性に優れたものとなる。液透過性表面シート１１は、吸収体１３の側縁部を巻き込んで吸収体１３の裏面側まで延在している。
【００５４】
吸収体１３の裏面側（非肌当接面側）を覆う液不透過性裏面側シート１２は、ポリエチレンまたはポリプロピレンなどの液不透過性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートである。
【００５５】
吸収体１３としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができ、図示例では平面形状を略方形状として成形されたものが使用され、その幅寸法は股間部への当たりによって着用者にゴワ付き感を与えない寸法幅となっている。この吸収体１３は、形状及びポリマー保持等のため、必要に応じてクレープ紙等の、液透過性及び液保持性を有する包装シート１４によって包装することができる。吸収体１３の形状は、図示形態のように長方形状とする他、背側及び腹側に対して股間部の幅が狭い砂時計形状（括れ形状）とすることもできる。
【００５６】
内装体１０の両側部には脚周りにフィットする立体ギャザーＢＳが形成されているのが好ましい。この立体ギャザーＢＳはギャザー不織布１５により形成される、ギャザー不織布としては、図４〜図６に示すように、折返しによって二重シートとした不織布が好適に用いられ、液透過性表面シート１１によって巻き込まれた吸収体１３の側縁部をさらにその上側から巻き込んで吸収体１３の裏面側まで延在して接着されている。より具体的には、ギャザー不織布１５は、使い捨ておむつ１の長手方向中間部では、立体ギャザーＢＳ形成部分を残し、幅方向中間部から吸収体１３の裏面側に亘る範囲がホットメルト接着剤等によって接着され、また長手方向前後端部では、幅方向中間部から一方側端縁までの区間が吸収体１３の裏面側に亘る範囲で接着されるとともに、立体ギャザーＢＳを形成する部分を吸収体１３の上面部にて折り畳むようにしながらホットメルト接着剤等により接着している。
【００５７】
二重シート不織布によって形成されたギャザー不織布１５の内部には、起立先端側部分に複数本の糸状弾性伸縮部材１６、１６…が配設されている。糸状弾性伸縮部材１６、１６…は、製品状態において図４に二点鎖線で示すように、弾性伸縮力により吸収体側縁部より突出する不織布部分を起立させて立体ギャザーＢＳを形成するためのものである。
【００５８】
液不透過性裏面側シート１２は、二重シート状のギャザー不織布１５の内部まで進入し、図４に示すように、立体ギャザーＢＳの下端側において防漏壁を構成するようになっている。この液不透過性裏面側シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００５９】
糸状弾性伸縮部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５ｄｔｅｘ以下、伸長率は１５０〜３５０％、間隔は７．０ｍｍ以下として配設するのがよい。なお、伸張率は伸張時の長さ／自然長×１００で算出した値であり、糸状弾性伸縮部材に代えて、ある程度の幅を有するテープ状弾性伸縮部材を用いるようにしてもよい。
【００６０】
前述のギャザー不織布１５を構成する素材繊維も液透過性表面シート１１と同様に、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらにギャザー不織布１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００６１】
（前後押えシート）
図１、図３に示すように、外装シート２０の肌当接面上に取り付けられた内装体１０の前後端部をカバーし、且つ内装体１０の前後縁からの漏れを防ぐために、前後押えシート５０，６０が設けられている。図示形態について更に詳細に説明すると、前押えシート５０は、前身頃Ｆ内面のうちウエスト側端部の折り返し部分２０Ｃの内面から内装体１０の前端部と重なる位置まで幅方向全体にわたり延在しており、後押えシート６０は、後身頃Ｂ内面のうちウエスト側端部の折り返し部分２０Ｃの内面から内装体１０の後端部と重なる位置まで幅方向全体にわたり延在している。前後押えシート５０，６０の股下側縁部に幅方向の全体にわたり（中央部のみでも良い）若干の非接着部分を設けると、接着剤が食み出ないだけでなく、この部分を表面シートから若干浮かせて防漏壁として機能させることができる。
【００６２】
図示形態のように、前後押えシート５０，６０を別体として取り付けると、素材選択の自由度が高くなる利点があるものの、資材や製造工程が増加する等のデメリットもある。そのため、外装シート２０を使い捨ておむつ１内面に折り返してなる折り返し部分２０Ｃを、吸収パッド２００と重なる部分まで延在させて、前述の押えシート５０，６０と同等の部分を形成することもできる。
【００６３】
（外装シートを構成する不織布ついて）
外装シート２０を構成する不織布のうち、少なくとも最も外側に位置する不織布２０Ｂとして、捻れ度が３．８ｇｆ・ｃｍ／ｃｍ以下のものが好適である。外装シート２０を構成する不織布全て、つまり最も外側に位置しない他の不織布２０Ａ、５０，６０についても最外側不織布２０Ｂと同様の不織布を採用するのが望ましい（以下同じ。）。このように、捻れ度が十分に低い不織布を用いると、使い捨ておむつ全体としてのしなやかさが顕著に増加し、その結果、ゴワゴワした装着感や、肌との擦れによりかゆみやかぶれ等の肌トラブルが軽減し、脱ぎ着し易くなる等の利点がもたらされる。捻れ度が十分に低くないとしなやかさの改善効果は発現しない。このような捻れ度は、例えば原料繊維の種類の選択、繊度を細くする、繊維長を短くする、目付けや厚みを減らす等により達成することができる。
【００６４】
また、最外側不織布２０Ｂにおける平均表面摩擦係数と平均偏差との比ＭＩＵ／ＭＭＤが２０以上であるのが好ましく、特に２５以上であるのがより好ましい。ＭＩＵ／ＭＭＤ比を十分に大きくすることにより、外装シート表面の触感が良好となることにより、しなやかさが補われ、例えば肌との擦れによりかゆみやかぶれ等の肌トラブルがより一層軽減されるようになる。このようなＭＩＵ／ＭＭＤ比は、例えば、繊度を細くする、表面加工を施す等により達成することができる。
【００６５】
また、外装シート２０としての基本機能（隠蔽機能、強度等）を損ねないよう、最外側不織布２０Ｂは、目付けが１０〜３０ｇ／ｍ2であり、且つ圧力０．５ｇ／ｃｍ2のときの厚みＴ０が０．１〜１．０ｍｍであるのが好ましい。より好ましい目付けは１３〜２２ｇ／ｍ2、厚みＴ０は０．１〜０．５ｍｍである。
【００６６】
さらにしなやかさを補うため、最外側不織布２０ＢのＪＩＳ−Ｌ−１０９６（４５度カンチレバー法）による剛軟度は４５ｍｍ以下であるのが好ましく、３５ｍｍ以下であるのがより好ましい。これにより、特にゴワゴワ感の軽減及び脱ぎ着のし易さがより一層好ましいものとなる。このような剛軟度は、例えば、原料繊維の種類の選択や割合の変更、エンボス圧を下げる、目付や厚みを減らす等により達成することができる。
【００６７】
しなやかさを向上させると強度が低下し易いため、最外側不織布２０Ｂは、ＪＩＳ−Ｐ−８１１３に規定される引張強度が幅方向において４０〜１２０ｋｇｆ／ｍ、特に６０〜１００ｋｇｆ／ｍ、前後方向において１０〜８０ｋｇｆ／ｍ、特に２５〜６０ｋｇｆ／ｍであり、ＪＩＳ−Ｐ−８１１６に規定される引裂強度が前後方向において４〜３０ｋｇｆ／ｍ、特に８〜２５ｋｇｆ／ｍであるのが好ましい。このような引張強度及び引裂強度は、例えば、繊維同士の絡まり度合いを増す等により達成することができる。
【００６８】
最外側不織布２０Ｂの圧縮特性もしなやかさと密接に関連するものである。よって、最外側不織布２０Ｂの圧縮特性は、圧縮硬さＬＣが０．３〜１．０、特に０．５〜０．９であり、且つ圧縮仕事量ＷＣが０．０１〜０．１０、特に０．０１〜０．０７であり、圧縮レジリエンスＲＣが２０〜９０％、特に２５〜７０％であるのが好ましい。このような圧縮硬さＬＣ、圧縮仕事量ＷＣ、圧縮レジリエンスＲＣは、例えば、原料繊維の種類の選択や割合の変更、目付や厚みを減らす等により達成することができる。
【００６９】
最外側不織布２０Ｂは、原料繊維の物質、構造、製法、繊度、繊維長（短繊維、フィラメント）等については、特に限定されない。例えば、原料繊維としては、ポリエチレンやポリプロピレン等のオレフィン系、ポリエステル系、ポリアミド系等の合成繊維、レーヨンやキュプラ等の再生繊維、綿等の天然繊維等から適宜選択でき、また繊維構造としては並列型、芯鞘型等の２層型複合繊維、多層型複合繊維、非複合繊維、混合繊維、分割繊維等から適宜選択することができる。さらに、製法としては、スパンレース法、スパンボンド法、サーマルボンド法、メルトブローン法、ニードルパンチ法、エアスルー法、ポイントボンド法等、公知の方法から適宜選択して用いることができる。繊維の繊度や繊維長についても公知の仕様を採用することができるが、繊度は０．７〜３ｄｔｅｘ、特に１〜２．５ｄｔｅｘが好ましい。
【００７０】
（第２実施形態）
次に、第３係合部材４２、第４係合部材４３を別の配置で設ける第２実施形態について説明する。なお、前述した第１実施形態と同一部材には同一符号を付し重複した説明は省略する。
図１０，図１１に示すように、後身頃Ｂの両側部から下半身方向に向かって延出した第二帯状部６６を設ける。当該帯状部の衣服当接面には、第二帯状部６６の縁と略平行に第４係合部材４３が設けられる。
【００７１】
また、帯状部６５の上下方向の長さは、第１実施形態のそれよりも短い。
第２実施形態の帯状部６５の上下方向の長さと第二帯状部６６の上下方向の長さを加えた長さは、第１実施形態の帯状部６５の上下方向の長さと同じ、もしくはそれよりも短くするのが好ましい。第１実施形態の帯状部６５の上下方向の長さよりも短くしても、外れやすい上半身側の端部の係合部分を帯状部６５で覆い、かつ、外れやすい下半身側の端部の係合部分を第二帯状部６６で覆うことができるためである。
【００７２】
着用者が第２実施形態の使い捨ておむつ１を装着する場合、図１５に示すように、まず第２係合部材４１と第３係合部材４２を係合させる。そして、図１５および図１６に示すように、帯状部６５の基部にある折り返し部６４を着用者の前側へ向けて折り返し、第１係合部材４０と第４係合部材４３を係合させる。その後、第二帯状部６６の基部にある折り返し部６４を着用者の前側へ向けて折り返し、第１係合部材４０と第４係合部材４３も係合させる。
そのようにして、外装シート２０の前身頃Ｆと後身頃Ｂとが連結した状態で、使い捨ておむつ１を股間部に引上げた後、第１係合部材４０と第４係合部材４３との係合位置を調整し足回りにフィットさせる。
【００７３】
上記例とは異なり、第２係合部材４１と第３係合部材４２を係合させた後、第二帯状部６６に設けた第４係合部材４３と第１係合部の係合をさせ、その後に帯状部６５に設けた第４係合部材４３と第１係合部の係合を行ってもよい。
【００７４】
前身頃Ｆと後身頃Ｂの係合部分のうち、下半身側の端部の係合も外れやすいが、当該端部の係合部分を後身頃Ｂから延出した第二帯状部６６で覆うことにより、当該係合が外れにくくなるという効果がある。
【００７５】
（第３実施形態）
次に、第３係合部材４２、第４係合部材４３を別の配置で設ける第３実施形態について説明する。なお、前述した第１実施形態と同一部材には同一符号を付し重複した説明は省略する。
図１２，図１３に示すように、第３係合部材４２を設ける後身頃Ｂの両側部の上下方向の長さは、第１実施形態や第２実施形態のそれよりも短い。具体的には、第３係合部材４２を設ける後身頃Ｂの両側部の上下方向の長さは、前身頃Ｆの連結側部２１の長さよりも短い。
また、帯状部６５の上下方向の長さは、第１実施形態のそれよりも長い。具体的には、帯状部６５の上下方向の長さは、前身頃Ｆの連結側部２１の長さよりも長い。
１つの帯状部６５には折り返し部６４が２つ設けられる。１つの折り返し部６４は、帯状部６５の基部に設けられる。
もう１つの折り返し部６４は、帯状部６５の中間に設けられる。より詳細には、帯状部６５の基部に設けた折り返し部６４と、帯状部６５の中間に設けた折り返し部６４の間の距離は、前身頃Ｆの連結側部２１の上下方向の長さと同じ、もしくはそれ以上である。
【００７６】
そして、前記帯上部６５の中間に設けた前記折り返し部６４を境界として、下半身側と上半身側のそれぞれの場所に第４係合部材４３を設ける。
また、後身頃Ｂの両側部に第３係合部材４２を設ける。
【００７７】
着用者が第３実施形態の使い捨ておむつ１を装着する場合、図１７に示すように、まず第２係合部材４１と第３係合部材４２を係合させる。そして、図１７および図１８に示すように、帯状部６５の基部にある折り返し部６４を着用者の前側へ向けて折り返し、第１係合部材４０と第４係合部材４３を係合させる。その後、図１８および図１９に示すように、前記折り返した帯状部６５の中間にある折り返し部６４を起点に、前記帯状部６５の先端を前身頃Ｆの肌当接面へさらに折り返し、第２係合部材４１と第４係合部材４３を係合させる。
そのようにして、外装シート２０の前身頃Ｆと後身頃Ｂとが連結した状態で、使い捨ておむつ１を股間部に引上げた後、第１係合部材４０と第４係合部材４３との係合位置を調整し足回りにフィットさせる。
【００７８】
第３実施形態によれば、前身頃Ｆと後身頃Ｂの係合部分のうち、外れやすい上半身側の端部および下半身側の端部の係合部分を前記帯状部６５で覆うことができるため、係合が外れにくくなるという効果がある。
また、前記後身頃Ｂの帯状部６５を折り返した状態で、該帯状部６５の先端が使い捨ておむつ１の肌当接面に位置し、使い捨ておむつ１の衣服当接面には該帯状部６５の先端が現れない。
従って、使い捨ておむつ１の着用時に発生する使い捨ておむつ１と衣服の摩擦力により、該帯状部６５の先端の係合が使い捨ておむつ１から外れることを防ぐことができるという効果がある。また、該帯状部６５の先端が衣服当接面に現れた場合と比べて、使い捨ておむつ１の外見を綺麗に見せることができるという効果がある。
【００７９】
なお、第１実施形態、第２実施形態、第３実施形態において、折り返し部６４の折り返しを容易にするために、前記折り返し部６４をまたがるように係合部材を設けないことが好ましい。
【産業上の利用可能性】
【００８０】
本発明は、使い捨ておむつにおいて利用できるものである。
【符号の説明】
【００８１】
１    使い捨ておむつ
１０    内装体
１１    液透過性表面シート
１２    液不透過性裏面側シート
１３    吸収体
１４    包装シート
１５    ギャザー不織布
２０    外装シート
２１    連結側部
２２    連結側部
２４    ウエスト部弾性部材
２５    腰回り弾性部材
２６    背側湾曲弾性部材
２８    腹側湾曲弾性部材
４０    第１係合部材
４１    第２係合部材
４２    第３係合部材
４３    第４係合部材
４９    スリット（ミシン目）
５０    前押えシート
６０    後押えシート
６４    折り返し部
６５    帯状部
６６    第二帯状部
Ｆ    前身頃
Ｂ    後身頃
【図１】
2015091353.tif 000003
【図２】
2015091353.tif 000004
【図３】
2015091353.tif 000005
【図４】
2015091353.tif 000006
【図５】
2015091353.tif 000007
【図６】
2015091353.tif 000008
【図７】
2015091353.tif 000009
【図８】
2015091353.tif 000010
【図９】
2015091353.tif 000011
【図１０】
2015091353.tif 000012
【図１１】
2015091353.tif 000013
【図１２】
2015091353.tif 000014
【図１３】
2015091353.tif 000015
【図１４】
2015091353.tif 000016
【図１５】
2015091353.tif 000017
【図１６】
2015091353.tif 000018
【図１７】
2015091353.tif 000019
【図１８】
2015091353.tif 000020
【図１９】
2015091353.tif 000021